(57)【要約】      （修正有）【課題】コスト及び作業時間の点で有利なマンホール蓋及びその受枠の交換方法を提供する。【解決手段】地面に敷設されたマンホールの蓋及びその受枠の交換方法であって、蓋及びその受枠５０２周辺の地面材１１１と、蓋及びその受枠５０２と、を除去する除去工程と、除去された蓋及びその受枠５０２とは別の蓋及びその受枠５０２を設置する設置工程と、除去された地面材１１１を元の状態に戻す戻し工程と、を含み、設置工程において、帯状の金属素材又は樹脂素材をマンホール壁１０４の上部外周に巻きつけ、金属素材又は樹脂素材の一方の端部と、もう一方の端部と、を接合することで、固定材を充填するための型として用いる。【選択図】図５
2018193798.tif 000002
【特許請求の範囲】
【請求項１】
地面に敷設されたマンホールの蓋及びその受枠の交換方法であって、
前記蓋及びその受枠周辺の地面材と、前記蓋及びその受枠と、を除去する除去工程と、
前記除去された蓋及びその受枠とは別の蓋及びその受枠を設置する設置工程と、
前記除去された地面材を元の状態に戻す戻し工程と、を含み、
前記設置工程において、帯状の金属素材又は樹脂素材をマンホール壁の上部外周に巻きつけ、前記金属素材又は樹脂素材の一方の端部と、もう一方の端部と、を接合することで、固定材を充填するための型として用いること、を特徴とするマンホールの蓋及びその受枠の交換方法。
【請求項２】
前記設置工程において、前記型を前記マンホール壁の外部に固定する、ことを特徴とする請求項１に記載のマンホールの蓋及びその受枠の交換方法。
【請求項３】
前記設置工程において、前記型は、円筒形のダクトを短円筒形に切断し、さらに前記短円筒形の一部を切断し、帯状にして用いる、ことを特徴とする請求項１又は２に記載のマンホールの蓋及びその受枠の交換方法。
【請求項４】
前記設置工程において、複数回前記型として用いた前記金属素材の一方の端部と、もう一方の端部と、に板状の金属素材又は樹脂素材を重ねて、接合する、ことを特徴とする請求項１乃至３のいずれか１項に記載のマンホールの蓋及びその受枠の交換方法。
【請求項５】
前記設置工程において、複数回前記型として用いた前記金属素材の端部を切断し、前記端部が切断された金属素材を前記型として用いる、ことを特徴とする請求項１乃至３のいずれか１項に記載のマンホールの蓋及びその受枠の交換方法。
【発明の詳細な説明】
【技術分野】
【０００１】
本発明はマンホール蓋及びその受枠の交換方法に関する。
【背景技術】
【０００２】
従来、マンホールは、マンホール蓋の受枠を地面に固定するため、図３（Ａ）のようにマンホールの外周が環状のコンクリートで固められ、設置されている場合がある。このように設置されたマンホール蓋及びその受枠を交換する際、環状のコンクリートは一旦、はつりされ、その後、新たなマンホール蓋及びその受枠設置後に、原状復帰のため、原状と同じ直径の円環状のコンクリートを敷設することが求められる。その際、例えば、ベニヤ板等の木材を円形に加工し、複数の支持材で支持し、型として用いることが広く知られている。
【発明の概要】
【発明が解決しようとする課題】
【０００３】
しかしながら、木材は円形に加工しづらいため、加工に多くの時間と多くの作業員を要する。また、木材を繰り返し型として使用する場合、型を支持するための木材を通常より多く使用する必要があり、コストが高額となりうる。さらに、木材は耐久性に欠けるため、型として繰り返し用いることができたとしても、２、３回使用できる程度である。
【０００４】
そこで、本発明は、コスト及び作業時間の点で有利なマンホール蓋及びその受枠の交換方法を提供することを目的とする。
【課題を解決するための手段】
【０００５】
上記課題を解決するために、本発明は、地面に敷設されたマンホールの蓋及びその受枠の交換方法であって、蓋及びその受枠周辺の地面材と、蓋及びその受枠と、を除去する除去工程と、除去された蓋及びその受枠とは別の蓋及びその受枠を設置する設置工程と、除去された地面材を元の状態に戻す戻し工程と、を含み、設置工程において、帯状の金属素材又は樹脂素材をマンホール壁の上部外周に巻きつけ、金属素材又は樹脂素材の一方の端部と、もう一方の端部と、を接合することで、固定材を充填するための型として用いること、を特徴とする。
【発明の効果】
【０００６】
本発明によれば、例えば、コスト及び作業時間の点で有利なマンホール蓋及びその受枠の交換方法を提供することができる。
【図面の簡単な説明】
【０００７】
【図１】交換前のマンホールの縦断面図である。
【図２】第１実施形態に係る方法を説明するフローチャートである。
【図３】掘削の一例を示す図である。
【図４】旧蓋及び受枠の取り外しを説明する図である。
【図５】型及びその設置を説明する図である。
【図６】固定材の充填及び型の取り外しを説明する図である。
【図７】戻し工程を説明する図である。
【図８】第２実施形態に係る方法を説明する図である。
【発明を実施するための形態】
【０００８】
以下、本発明を実施するための形態について図面等を参照して説明する。
【０００９】
（第１実施形態）
図１は、交換前のマンホール１００の一例を示す縦断面図である。マンホール１００は、蓋１０１、受枠１０２、ボルト１０３及びマンホール壁１０４を含みうる。マンホール壁１０４は、調整リング１０５を含みうる。マンホール１００は、地面１１０に敷設されている。地面１１０は、地面材１１１及び固定材１１２を含む。地面材１１１は、例えば、土であっても良いし、モルタル等の下地層を含むインターロッキングブロックであっても良い。また、下地層を含むアスファルト合成材であっても良い。蓋１０１及び受枠１０２の外周には、蓋１０１及び受枠１０２を固定するための固定材１１２が円環状に敷設されている。
【００１０】
図２は、第１実施形態に係る方法を説明するフローチャートである。本実施形態に係る方法は、除去工程Ｓ２１０、設置工程Ｓ２２０、戻し工程Ｓ２３０を含む。各工程は、作業員によって実行される。
【００１１】
除去工程Ｓ２１０は、掘削Ｓ２１１及び旧蓋及び受枠の取り外しＳ２１２を含む。掘削Ｓ２１１では、マンホール１００の周辺の地面材１１１及び固定材１１２を掘削し、除去する。掘削Ｓ２１１では、例えば、マンホール壁１０４の上部が露出する程度に、マンホール１００周辺の地面材１１１を除去すれば良い。旧蓋及び受枠の取り外しＳ２１２では、交換前の蓋１０１及び受枠１０２（旧蓋及び受枠）を取り外し撤去する。
【００１２】
設置工程Ｓ２２０は、新蓋及び受枠の設置Ｓ２２１、型の設置Ｓ２２２、固定材の充填Ｓ２２３及び型の取り外しＳ２２４を含む。新蓋及び受枠の設置Ｓ２２１では、旧蓋１０１及び受枠１０２とは別の新たな蓋及び受枠（新蓋及び受枠）をマンホール壁１０４上であって、旧蓋１０１及び受枠１０２が設置されていた位置と同じ位置に設置する。型の設置Ｓ２２２では、後述する型５１１を設置する。固定材の充填Ｓ２２３では、型５１１の内部に固定材１１２を充填させる。型の取り外しＳ２２４では、固定材１１２の硬化完了後に、後述する型を取り外す。
【００１３】
戻し工程Ｓ２３０では、除去工程Ｓ２１０において掘削したマンホール１００周辺の地面材１１１を元の状態、つまり、交換前の地面材１１１と外観上同じ状態に戻す。
【００１４】
図３は、掘削Ｓ２１１の一例を示す図である。掘削Ｓ２１１では、マンホール１００周辺の地面材１１１及び固定材１１２を掘削し、除去する。図３（Ａ）は交換前のマンホール１００の平面図である。掘削Ｓ２１１は、例えば、本図の掘削範囲３０１において行われる。地面材１１１の掘削範囲３０１は、蓋１０１及び受枠１０２の交換作業が可能な空間が形成される範囲であって、マンホール壁１０４上部が露出する深さであれば良い。地面材１１１が、例えば、土である場合は、掘削範囲３０１内の土をショベル等で掘削し、その後、固定材１１２をはつり工具等ではつりし、除去する。地面材１１１が、例えば下地層を含むインターロッキングブロックである場合は、インターロッキングブロックを取り外し、下地層及び固定材１１２をはつり工具等ではつりし、除去する。地面材１１１が例えば、アスファルトである場合は、汎用のカッター装置等で、例えば、図３（Ｂ）の掘削線３０２のように切り込みをいれ、掘削範囲３０１内のアスファルト及び固定材１１２をはつりし、除去する。
【００１５】
図４は、旧蓋及び受枠の取り外しＳ２１２を説明する図である。図４（Ａ）は、旧受枠の取り外し前のマンホール１００縦断面図である。掘削範囲３０１の地面材１１１及び固定材１１２は、掘削により除去され、本図に示す状態となる。なお、本図において、旧蓋１０１はすでに取り外されている。旧受枠１０２が、例えば、ボルト１０３等により、マンホール壁１０４に固定されている場合は、ボルト１０３を取り外し、旧受枠１０２を撤去する。図４（Ｂ）は、旧蓋１０１及び受枠１０２が取り外された状態のマンホール１００縦断面図である。
【００１６】
新蓋及び受枠の設置Ｓ２２１では、旧蓋１０１及び受枠１０２が取り外された状態のマンホール壁１０４上の、旧蓋１０１及び受枠１０２が設置されていた位置と同じ位置に、新蓋５０１及び受枠５０２を設置する。
【００１７】
図５は、型５１１及びその設置を説明する図である。型５１１は、固定材１１２を交換前と同じ状態に戻すための型として使用する。まず、型材５１２として、長辺の長さが、マンホール壁１０４の周長よりも長く、短辺の長さが、掘削範囲３０１の深さよりも長い、帯状の素材を用いる。型材５１２は、強度及び柔軟性に優れ、円形に加工し易い素材であれば良いが、金属素材又は樹脂素材であることが好ましい。次に、図５（Ａ）に示すように、型材５１２をマンホール壁１０４の外周に巻きつける。型材５１２には柔軟性に優れる金属素材又は樹脂素材を採用するため、木材を使用する場合に比べ、容易に円形に加工することができる。マンホール壁１０４に巻き付けた型材５１２の一方の端部と、もう一方の端部とを、図５（Ｂ）に示すように、型５１１の直径が、マンホール壁１０４と同じ直径となる位置で、例えば、ビス５１３等で固定し、型５１１を設置する。本図においては、６点で固定しているが、固定されればよく、これに限られない。固定材１１２は、一般的にマンホール壁１０４と同じ直径となっているため、マンホール壁１０４に巻きつけることで、交換前の固定材１１２と同じ直径の型を簡単に作成することができる。図５（Ｃ）は、型５１１が設置されたマンホール１００の縦断面図である。ビス５１３のうち、型５１１とマンホール壁１０４が接する範囲５１０内に位置するビス５１３については、例えば、マンホール壁１０４に直接打ち付けられても良い。これにより、型５１１が、マンホール壁１０４に固定され、固定材１１２を型５１１に充填した際に、型５１１がずれ、固定材１１２が型５１１から漏れ出すことを防ぐことができる。
【００１８】
図６は、固定材１１２の充填及び型の取り外しＳ２２４を説明する図である。図６（Ａ）は、固定材の充填Ｓ２２３を説明する図である。固定材の充填Ｓ２２３では、固定材１１２を型５１１に充填し、受枠をマンホール壁１０４に固定させる。ここで固定材１１２とは、例えば、コンクリート、モルタル等である。固定材１１２の硬化が完了したら、型５１１を取り外す。型５１１を取り外す際は、例えば、ビス５１３を取りはずし、固定材１１２から型５１１を剥離させても良い。図６（Ｂ）は、型５１１の取り外し後のマンホール１００の縦断面図である。
【００１９】
図７は、戻し工程Ｓ２３０を説明する図である。戻し工程Ｓ２３０では、除去工程Ｓ２１０において掘削したマンホール１００周辺の地面材１１１を元の状態、つまり、交換前の地面材１１１と外観上同じ状態に戻す。地面材１１１が、例えば、土であった場合、除去した土を掘削範囲３０１に埋め戻す。地面材１１１が、例えば、下地層を含むインターロッキングブロックであった場合は、下地層を打設し、インターロッキングブロックを、交換前と外観上同じ状態に戻す。地面材１１１が、例えば、アスファルトであった場合は、下地層を敷均し、その上にアスファルト合材を敷均す。
【００２０】
本実施形態では、型材５１２として、強度及び柔軟性に優れる金属素材や樹脂素材を採用するため、簡単に円形に加工することができ、さらに、繰り返し型５１１として用いることが可能である。よって、木材を使用する場合と比べ作業時間の短縮とコストの低減が可能となる。
【００２１】
（第２実施形態）
図８は、第２実施形態に係る方法を説明する図である。第１実施形態と同様の構成は同符号で示し、説明は省略する。本実施形態では、市販されている、円筒形のダクト８０１を型材５１２として用いる。ダクト８０１は、例えば、金属製又は樹脂製であることが好ましい。ダクト８０１は、直径が、マンホール壁１０４の直径よりも大きいものを使用する。まず、円筒形のダクト８０１を図８（Ａ）に示すように、第１切断位置８０２で切断し、短円筒形型材８０３とする。第１切断位置８０２は、短円筒形型材８０３の高さが、掘削範囲３０１の深さよりも長くなる位置であれば良い。
【００２２】
次に、短円筒形型材８０３の一部を図８（Ｂ）に示すように、第２切断位置８０４で切断する。第２切断位置８０４は、短円筒形型材８０３が、帯状になる位置であれば良い。
【００２３】
以上により、本実施形態の方法は、既に円形に加工されたダクト８０１を型材５１２として使用するため、円形に加工し易く、作業時間をさらに短縮させることができる。
【００２４】
（第３実施形態）
上述する実施形態において、型材５１２は、繰り返し型５１１として用いることが可能である。しかしながら、型材５１２をビス５１３等で固定する際に、型材５１２の端部に穴が空く。繰り返し使用すれば穴が増え、型材５１２の端部と、もう一方の端部との固定が不安定になる場合がある。そのような場合において、板状の金属素材又は樹脂素材（板状素材）を、型材５１２の端部と、もう一方の端部と、に重ね、ビス５１３等で留める。穴の開いていない板状素材を重ねることで、ビス５１３等で留めた際に、しっかりと固定することが可能となる。
【００２５】
（第４実施形態）
上述のように、型材５１２を繰り返し型５１１として用い、型材５１２の端部と、もう一方の端部との固定が不安定となった場合において、穴の開いた端部を切り落とし、再度型材５１２として用いても良い。これにより、穴の開いていない端部を形成することができ、ビス５１３等で留めた際に、しっかりと固定することが可能となる。
【符号の説明】
【００２６】
１００    マンホール
１０１、５０１    蓋
１０２、５０２    受枠
１０４    マンホール壁
１１０    地面
１１１    地面材
１１２    固定材
５１１    型
５１２    型材
【図１】
2018193798.tif 000003
【図２】
2018193798.tif 000004
【図３】
2018193798.tif 000005
【図４】
2018193798.tif 000006
【図５】
2018193798.tif 000007
【図６】
2018193798.tif 000008
【図７】
2018193798.tif 000009
【図８】
2018193798.tif 000010
【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
地面に敷設されたマンホールの蓋及びその受枠の交換方法であって、
前記蓋及びその受枠周辺の地面材と、前記蓋及びその受枠と、を除去する除去工程と、
帯状の金属素材又は樹脂素材をマンホール壁の上部外周に巻きつけ、前記金属素材又は樹脂素材の一方の端部と、もう一方の端部と、を接合することで、固定材を充填するための型として用い、前記除去された蓋及びその受枠とは別の蓋及びその受枠を設置する設置工程と、
前記除去された地面材を元の状態に戻す戻し工程と、を含み、
前記設置工程において、前記型は、円筒形のダクトを短円筒形に切断し、さらに前記短円筒形の一部を切断し、帯状にして用いる、ことを特徴とするマンホールの蓋及びその受枠の交換方法。
【請求項２】
前記設置工程において、前記型を前記マンホール壁の外部に固定する、ことを特徴とする請求項１に記載のマンホールの蓋及びその受枠の交換方法。
【請求項３】
前記設置工程において、複数回前記型として用いた前記金属素材の一方の端部と、もう一方の端部と、に板状の金属素材又は樹脂素材を重ねて、接合する、ことを特徴とする請求項１または２に記載のマンホールの蓋及びその受枠の交換方法。
【請求項４】
前記設置工程において、複数回前記型として用いた前記金属素材の端部を切断し、前記端部が切断された金属素材を前記型として用いる、ことを特徴とする請求項１または２に記載のマンホールの蓋及びその受枠の交換方法。
【請求項５】
地面に敷設されたマンホールの蓋及びその受枠の交換方法であって、
前記蓋及びその受枠周辺の地面材と、前記蓋及びその受枠と、を除去する除去工程と、
帯状の金属素材又は樹脂素材をマンホール壁の上部外周に巻きつけ、前記金属素材又は樹脂素材の一方の端部と、もう一方の端部と、を接合することで、固定材を充填するための型として用い、前記除去された蓋及びその受枠とは別の蓋及びその受枠を設置する設置工程と、
前記除去された地面材を元の状態に戻す戻し工程と、を含み、
前記設置工程において、複数回前記型として用いた前記金属素材の端部を切断し、前記端部が切断された金属素材を前記型として用いる、ことを特徴とするマンホールの蓋及びその受枠の交換方法。
【手続補正２】
【補正対象書類名】明細書
【補正対象項目名】０００５
【補正方法】変更
【補正の内容】
【０００５】
上記課題を解決するために、本発明は、地面に敷設されたマンホールの蓋及びその受枠の交換方法であって、蓋及びその受枠周辺の地面材と、蓋及びその受枠と、を除去する除去工程と、帯状の金属素材又は樹脂素材をマンホール壁の上部外周に巻きつけ、金属素材又は樹脂素材の一方の端部と、もう一方の端部と、を接合することで、固定材を充填するための型として用い、除去された蓋及びその受枠とは別の蓋及びその受枠を設置する設置工程と、除去された地面材を元の状態に戻す戻し工程と、を含み、設置工程において、型は、円筒形のダクトを短円筒形に切断し、さらに短円筒形の一部を切断し、帯状にして用いる、ことを特徴とする。